(57)【要約】【課題】身体へのフィット感に優れ且つバッグ本体と背中相互間に十分な通気性を持たせることができるバッグを提供すること。【解決手段】身体に対してバッグ本体１が接触する態様で支持されるバッグにおいて、身体への接触部分の全体又は大部分が、立体構造状ネット１０で構成されている。立体構造状ネット１０は、経編編成により、ネット構造をなす表裏素地１０ａ，１０ｂとこれら両素地を連結する立体構造状ネット連結糸１０ｃとにより構成されたものである。バッグ本体１は背負いバンド４，４で背負われるものであり、背中に接触する部分が立体構造状ネット１０である。バッグ本体６はベルト７により腰部に取り付けられるものであり、腹部又は臀部と接触する部分が立体構造状ネット６０である。【選択図】  図２
2004148006.tif 000002
【特許請求の範囲】
【請求項１】
身体に対してバッグ本体が接触する態様で支持されるバッグにおいて、身体への接触部分の全体又は大部分が、立体構造状ネットで構成されていることを特徴とするバッグ。
【請求項２】
立体構造状ネットは、経編編成により、ネット構造をなす表裏素地とこれら両素地を連結する連結糸とにより構成されたものであることを特徴とするバッグ。
【請求項３】
バッグ本体は背負いバンドで背負われるものであり、背中に接触する部分が立体構造状ネットであることを特徴とする請求項１又は２に記載のバッグ。
【請求項４】
バッグ本体はベルトにより腰部に取り付けられるものであり、腹部又は臀部と接触する部分が立体構造状ネットであることを特徴とする請求項１又は２に記載のバッグ。
【発明の詳細な説明】
【０００１】
【発明の属する技術分野】
この発明は、背負いバッグやウエストポーチ等の身体に接触させて保持するバッグに関するものである。
【０００２】
【従来の技術】
一般に背負いバッグは、バッグ本体を背中へ密着させるため、背中とバッグ本体相互間にはほとんど通気性がなく、蒸れたり、汗でべとつく等の問題が発生する。
【０００３】
そこで上記問題を解決するものとして、背中と接触する部分をクッション材とし、前記クッション材が凹凸を有すると共に背中に接触する面をメッシュとしたものとしたものが提案されている（特許文献１、２。）。
【０００４】
【特許文献１】
特開２００１−２０４５４７号公報（図４）
【０００５】
【特許文献２】
実用新案登録第３０６９５６５号公報（図１）
【０００６】
【発明が解決しようとする課題】
しかしながら、特許文献１のものでは、背中に接触する膨らみ部分では蒸れたり、汗でべたついたりし、また、特許文献２のものでは、背中に接触する正方形状の凸部分で同様のことが生じる。つまり、これらの背負いバッグでは背中へのフィット感が悪く且つバッグ本体と背中相互間は十分な通気性を有するものとはなっていない。
【０００７】
なお、上記のような問題は、背負いバッグだけではなく、ウエストポーチでも同様に存在している。
【０００８】
そこで、この発明では、身体へのフィット感に優れ且つバッグ本体と背中相互間に十分な通気性を持たせることができるバッグを提供することを課題とする。
【０００９】
【課題を解決するための手段】
（請求項１記載の発明）
この発明のバッグは、身体に対してバッグ本体が接触する態様で支持されるバッグにおいて、身体への接触部分の全体又は大部分が、立体構造状ネットで構成されている。
（請求項２記載の発明）
この発明のバッグは、上記請求項１記載の発明に関し、立体構造状ネットは、経編編成により、ネット構造をなす表裏素地とこれら両素地を連結する立体構造状ネット連結糸とにより構成されたものである。
（請求項３記載の発明）
この発明のバッグは、上記請求項１又は２記載の発明に関し、バッグ本体は背負いバンドで背負われるものであり、背中に接触する部分が立体構造状ネットである。
（請求項４記載の発明）
この発明のバッグは、上記請求項１又は２記載の発明に関し、バッグ本体はベルトにより腰部に取り付けられるものであり、腹部又は臀部と接触する部分が立体構造状ネットである。
【００１０】
なお、上記発明のバッグの作用・効果については、発明の実施の形態の欄で明らかにする。
【００１１】
【発明の実施の形態】
この発明の実施形態のバッグを図面に従って説明する。
〔実施形態１〕
図１はこの発明の実施形態の背負いバッグＢの斜視図、図２は前記背負いバッグＢを前部から見た斜視図、図３は前記背負いバッグＢを構成する経編編成の立体構造状ネットの拡大斜視図。
（バッグＢの構成について）
この実施形態の背負いバッグＢは、図１や図２に示すように、バッグ本体１と、前記バッグ本体１の一方の面に逢着された大型ポケット２と、前記バッグ本体１の上部に逢着されている把手３と、前記バッグ本体１に逢着された背負いバンド４，４とから構成されている。
（バッグ本体１の構成について）
このバッグ本体１は、図１や図２に示すように、前・後部１０，１１と、両マチ部１２，１２と、上・下マチ部１３，１４とから構成されており、一方の横マチ部１２から上マチ部１３を通って他方の横マチ部１２に至るまでファスナー５で開閉できるようにしてある、
上記した後部１１、横マチ部１２，１２，上マチ部１３及び底マチ部１４は、耐水性を有する合成繊維（ナイロンやポリエステル等、以下記載を省略）から成る布状（織物）状のものから構成されている。
【００１２】
背中に接する前部１０は、図２や図３に示すように、ネット構造をなす表・裏素地１０ａ，１０ｂ，とこれら両素地を連結する連結糸１０ｃとにより構成された立体構造状ネットにより形成されている。この立体構造状ネットは、ネット目空間を画成する立体紐部の保形性がよく、方向性を制御できて構造安定性及び耐圧性に優れると共に適度に弾力性を保持でき、また張力を与えるだけで簡単に立体紐部を構成でき、空隙保有率が高く軽量なものとしている。
【００１３】
ここで、この立体構造状ネットは、通常は合成繊維糸が使用され、ナイロン糸や炭素繊維糸その他の各種の合成繊維のマルチフィラメント糸やモノフィラメント糸、或いはその加工糸や引き揃え糸、合成繊維紡績糸等が好適に用いられる。
もちろん、各種の天然繊維糸や混紡繊維の糸を用いることもできる。
【００１４】
他方、この前部１０の上域部分には、耐水性を有する合成繊維より成る内・外帯体１０Ａ，１０Ｂを逢着してあり、更に、前記外帯体１０Ａ，１０Ｂの両端は両マチ部１２，１２に逢着されている。
【００１５】
なお、前部１０を構成する立体構造状ネットは、図４に示す形態のものでもよい。
（大型ポケット２の構成について）
大型ポケット２は、図１に示すように、耐水性を有する合成繊維から成る偏平な袋状のものであり、外周部をバッグ本体１に逢着して取り付けている。なお、この実施形態のバッグでは、図１に示すように、ファスナー２０を開状態にすることにより大型ポケット２自体に対して収容物を出し入れし得るようにしてあり、またファスナー２１を開状態にすることによりバッグ本体１と大型ポケット２の間に対して収容物を出し入れし得るようにしてある。
（把手３の構成について）
把手３は、図１や図２に示すように、耐水性を有する合成繊維の織物から成る帯体３０の両端部を、上マチ部１３に逢着して構成させてある。なお、前記帯体３０には手による握り感を良くするため革体３１を巻回した状態で逢着してある。
（背負いバンド４，４の構成について）
背負いバンド４，４は、図１や図２に示すように、耐水性を有する合成繊維の織物から成る帯体４０と、前記帯体４０と同部材より成る紐体４１と、前記４０と紐体４１とを長さ調整可能に止める止め具４２とから構成されており、帯体４０の上端を内・外帯体１０Ａ，１０Ｂに、紐体４１の下端をマチ部１２の下部に、それぞれ逢着してある。
【００１６】
なお、上記帯体４０内にはクッション材を収容させてあり、これにより肩への負担を軽減している。
（この背負いバッグＢの機能について）
人Ｍがこの背負いバッグＢを背負った状態を図５や図６に示す。この状態において、人Ｍの背中から臀部にかけて、立体構造状ネットで構成された前部１０が接触する。このバッグＢでは、前記接触状態において以下のような優れた機能を発揮する。
▲１▼．前部１０は立体構造状ネットで構成されており、この立体構造状ネットは表・裏素地１０ａ，１０ｂを連結する連結糸１０ｃの弾力性により、Ｍの背中から臀部にかけての形状に倣ってフィットする。したがって、身体へのフィット感が優れたものになる。
▲２▼．前部１０である立体構造状ネットは、表・裏素地１０ａ，１０ｂがネット目であり且つ表・裏素地１０ａ，１０ｂ相互は連結糸１０ｃで連結されているだけであるから、空隙保有率が非常に高い。よって、通気性が非常に高く前部１０が、Ｍの背中から臀部にかけての形状に倣ってフィットしていても、蒸れたり、汗でべたついたりするようなことはない。つまり、バッグ本体１と人Ｍの背中相互間には十分な通気性がある。
▲３▼．バッグ本体１内に濡れ物が入っていても、通気性が良いので湿気がこもるようなこともない。
〔実施形態２〕
図７はこの発明の実施形態のウエストポーチＢ１（バッグ）の斜視図である。
【００１７】
このウエストポーチＢ１は、図７に示すように、バッグ本体６の両端部にそれぞれベルト７，７を逢着し、前記ベルト７，７相互を止めるバックル８を設けて成るものである。
【００１８】
ここで、このウエストポーチＢ１では、腹部又は臀部と接触する内面部６０が立体構造状ネットで、他の部分は耐水性を有する合成繊維の織物で、それぞれ形成してある。なお、内面部６０を構成する立体構造状ネットは実施形態１と同様の構成のものを採用できる。
【００１９】
このウエストポーチＢ１は上記のような構成であるから、腹部又は臀部へのフィット感に優れ、且つフィットしている身体部分が蒸れたり、汗でべたついたりするようなことはない。また、バッグ本体６内に濡れ物が入っていても、通気性が良いので湿気がこもるようなこともない。
【００２０】
更に、このウエストポーチＢ１では、内面部６０が立体構造状ネットで構成されているから、内部の入れられた携帯電話等の着信音もよく聞こえる。
〔他の実施形態〕
上記実施形態１、２の構成にかえてバッグ本体１の全体を、耐水性を有する合成繊維の織物や布で構成し、背中と接触する部分に立体構造状ネットを逢着するようにしてもよい。バッグ本体６についても同様である。
【００２１】
また、上記実施形態１，２では、前部１０や内面部６０の全体を立体構造状ネットで構成させたが、これに限定されることなく、大部分であってもよい。
【００２２】
更に、背負いバンド４の身体と接触する部分（肩部、胸部、脇部にかけた部分）に立体構造状ネットを逢着することもできる。
【００２３】
【発明の効果】
この発明は上記のような構成であるから次の効果を有する。
【００２４】
発明の実施の形態の欄に記載した内容から、身体へのフィット感に優れ且つバッグ本体と背中相互間に十分な通気性を持たせることができるバッグを提供できた。
【図面の簡単な説明】
【図１】この発明の実施形態１の背負いバッグの斜視図。
【図２】前記背負いバッグを背中と接触する部分から見た斜視図。
【図３】前記背負いバッグを構成する経編編成の立体構造状ネットの斜視図。
【図４】前記背負いバッグを構成する他の実施形態の経編編成の立体構造状ネットの斜視図。
【図５】人が前記背負いバッグを背負った状態を示す側面図。
【図６】人が前記背負いバッグを背負った状態を示す平面図。
【図７】この発明の実施形態２のバッグ（ウエストポーチ）の斜視図。
【符号の説明】
Ｂ      背負いバッグ
Ｂ１    ウエストポーチ
１      バッグ本体
４      背負いバンド
６      バッグ本体
７      ベルト
１０    前部（立体構造状ネット）
６０    内面部（立体構造状ネット）
【図１】
2004148006.tif 000003
【図２】
2004148006.tif 000004
【図３】
2004148006.tif 000005
【図４】
2004148006.tif 000006
【図５】
2004148006.tif 000007
【図６】
2004148006.tif 000008
【図７】
2004148006.tif 000009